(57)【要約】【課題】  誤読を防ぐとともに処理時間の短縮が図れる文字読取装置およびその制御方法を提供する。【解決手段】  磁気ヘッド３の読取文字を認識し、認識した読取文字が予め定められている誤読可能性文字と同じでなければ、その読取文字を当該装置の読取結果として確定する。上記認識した読取文字が誤読可能性文字と同じであれば、光学ヘッド４の読取文字を認識し、認識した読取文字と上記認識した磁気ヘッド３の読取文字とが一致する場合に、一致した読取文字を当該装置の読取結果として確定する。一致しない場合は、上記認識した光学ヘッド４の読取文字を読取結果として確定する。【選択図】図３
2012058775.tif 000002
【特許請求の範囲】
【請求項１】
被読取物上の磁気インク文字を磁気的に読取る磁気読取手段と、
前記被読取物上の文字を光学的に読取る光学読取手段と、
前記磁気読取手段の読取文字を認識し、認識した読取文字が予め定められている誤読可能性文字と同じでなければその読取文字を当該装置の読取結果として確定し、その読取文字が前記誤読可能性文字と同じであれば、前記光学読取手段の読取文字を認識し、認識した読取文字と前記認識した磁気読取手段の読取文字とが一致する場合に一致した読取文字を当該装置の読取結果として確定し、一致しない場合は前記光学読取手段の読取文字を当該装置の読取結果として確定する制御手段と、
を備えることを特徴とする文字読取装置。
【請求項２】
前記制御手段は、
前記磁気読取手段の読取磁気波形パターンと予め登録されている登録磁気波形パターンとの照合により同磁気読取手段の文字を認識する第１認識手段と、
この第１認識手段で認識した読取文字が予め定められている誤読可能性文字でなければ、その読取文字を当該装置の読取結果として確定する第１確定手段と、
前記第１認識手段で認識した読取文字が前記誤読可能性文字であれば、前記光学読取手段の読取画像パターンを予め登録されている登録画像パターンとの照合により同光学読取手段の読取文字を認識する第２認識手段と、
この第２認識手段で認識した読取文字と前記第１認識手段で認識した読取文字とが一致する場合、一致した読取文字を当該装置の読取結果として確定する第２確定手段と、
前記第２認識手段で認識した読取文字と前記第１認識手段で認識した読取文字とが一致しない場合、その第２認識手段で認識した読取文字を当該装置の読取結果として確定する第３確定手段と、
を備える、
ことを特徴とする請求項１記録の文字読取装置。
【請求項３】
前記誤読可能性文字は、互いに類似の登録磁気波形パターンを持つ複数の特定文字である、
前記制御手段は、
前記磁気読取手段の読取磁気波形パターンと予め登録されている登録磁気波形パターンとの類似度Ｘをそれぞれ求め、求めた類似度Ｘが基準値Ｘｓ以上となる登録磁気波形パターンの文字を同磁気読取手段の読取文字として認識する第１認識手段。
この第１認識手段で認識した読取文字が前記複数の特定文字と同じでなければ、その読取文字を当該装置の読取結果として確定する第１確定手段と、
前記第１認識手段で認識した読取文字が前記複数の特定文字と同じであれば、前記光学読取手段の読取画像パターンと予め登録されている登録画像パターンとの類似度Ｙを求め、求めた類似度Ｙが基準値Ｙｓ以上となる登録画像パターンの文字を同光学読取手段の読取文字として認識する第２認識手段と、
この第２認識手段で認識した読取文字と前記第１認識手段で認識した読取文字とが一致する場合、一致した読取文字を当該装置の読取結果として確定する第２確定手段と、
前記第２認識手段で認識した読取文字と前記第１認識手段で認識した読取文字とが一致しない場合、前記第２認識手段の認識に際しての読取画像パターンの登録画像パターンに対する類似度Ｙが閾値Ｙｒ（＞Ｙｓ）以上であることを条件にその前記第２認識手段で認識した読取文字を当該装置の読取結果として確定し、類似度Ｙが閾値Ｙｒ未満であれば当該装置の読取不可を確定する第３確定手段と、
を備える、
ことを特徴とする請求項１記録の文字読取装置。
【請求項４】
前記被読取物を搬送する搬送手段をさらに備え、
前記磁気読取手段は、前記搬送される被読取物上の磁気インク文字を磁気的に読取る、
前記光学読取手段は、前記搬送される被読取物上の文字を光学的に読取る、
ことを特徴とする請求項１ないし請求項３のいずれかに記録の文字読取装置。
【請求項５】
前記登録磁気波形パターンを記憶した磁気データテーブルと、
前記登録画像パターンを記憶した画像データテーブルと、
前記誤読可能性文字を記憶した誤読可能性文字テーブルと、
をさらに備えることを特徴とする請求項２または請求項３に記録の文字読取装置。
【請求項６】
被読取物上の磁気インク文字を磁気的に読取る磁気読取手段および被読取物上の文字を光学的に読取る光学読取手段を備えた文字読取装置において、
前記磁気読取手段の読取文字を認識し、認識した読取文字が予め定められている誤読可能性文字と同じでなければその読取文字を当該装置の読取結果として確定し、その読取文字が前記誤読可能性文字と同じであれば、前記光学読取手段の読取文字を認識し、認識した読取文字と前記認識した磁気読取手段の読取文字とが一致する場合に一致した読取文字を当該装置の読取結果として確定し、一致しない場合は前記光学読取手段の読取文字を当該装置の読取結果として確定することを特徴とする文字読取装置の制御方法。
【発明の詳細な説明】
【技術分野】
【０００１】
本発明の実施形態は、磁気インク文字を読取る文字読取装置およびその制御方法に関する。
【背景技術】
【０００２】
小切手等に記録されている磁気インク文字を読取る文字読取装置が知られている（特許文献１）。この文字読取装置は、磁気読取部と光学読取部を併用し、磁気読取部の読取文字と光学読取部の読取文字とが一致した場合に、その読取文字を読取結果として確定する。これにより、誤読を防いでいる。
【先行技術文献】
【特許文献】
【０００３】
【特許文献１】特開２００６−４０２５６号公報
【発明の概要】
【発明が解決しようとする課題】
【０００４】
磁気読取部と光学読取部を併用する文字読取装置の場合、磁気読取部の読取文字および光学読取部の読取文字を全て認識し、両認識文字を照合して読取結果の確定を行うため、確定に時間がかかるという問題がある。
【０００５】
本発明の実施形態の目的は、誤読を防ぐとともに処理時間の短縮が図れる文字読取装置およびその制御方法を提供することである。
【課題を解決するための手段】
【０００６】
本発明の実施形態の文字読取装置は、被読取物上の磁気インク文字を磁気的に読取る磁気読取手段と、前記被読取物上の文字を光学的に読取る光学読取手段と、前記磁気読取手段の読取文字を認識し、認識した読取文字が予め定められている誤読可能性文字と同じでなければその読取文字を当該装置の読取結果として確定し、その読取文字が前記誤読可能性文字と同じであれば、前記光学読取手段の読取文字を認識し、認識した読取文字と前記認識した磁気読取手段の読取文字とが一致する場合に一致した読取文字を当該装置の読取結果として確定し、一致しない場合は前記光学読取手段の読取文字を当該装置の読取結果として確定する制御手段と、を備える。
【図面の簡単な説明】
【０００７】
【図１】各実施形態の構成を示す図。
【図２】各実施形態の制御回路を示すブロック図。
【図３】第１の実施形態の動作を説明するためのフローチャート。
【図４】各実施形態において磁気インク文字“２”が記録された用紙が磁気ヘッドおよび光学ヘッドに送られる様子を上方から見た示す図。
【図５】各実施形態において磁気インク文字“５”が記録された用紙が磁気ヘッドおよび光学ヘッドに送られる様子を上方から見た示す図。
【図６】各実施形態における磁気ヘッドの読取磁気波形パターンおよび磁気インク文字“２”“５”のそれぞれ登録磁気波形パターンを示す図。
【図７】第２の実施形態の動作を説明するためのフローチャート。
【符号の説明】
【０００８】
１…用紙搬送路、２…用紙搬送ローラ、３…磁気ヘッド、４…光学ヘッド、５…用紙センサ、１０…ＣＰＵ、１１…用紙搬送機構、１２…用紙検出部、１３…ＲＯＭ、１４…ＲＡＭ、１５…表示部、１６…操作部、１７…磁気データテーブル、１８…画像データテーブル、１９…誤読可能性文字テーブル
【発明を実施するための形態】
【０００９】
［１］以下、第１の実施形態について図面を参照して説明する。  
図１において、１は用紙搬送路で、挿入される被読取物たとえば小切手等の用紙Ｐを複数の搬送ローラ２により図示矢印方向に搬送する。この用紙搬送路１上に、かつその搬送方向に沿って、磁気読取手段である磁気ヘッド３および光学読取手段である光学ヘッド４を並設する。そして、用紙搬送路１上に、用紙検知用の複数の用紙センサ５を配設する。
【００１０】
磁気ヘッド３は、搬送される用紙Ｐに記録されている磁気インク文字を磁気的に読取り、読取データとして、磁気インク文字の形状に対応する読取磁気波形パターンを出力する。光学ヘッド４は、搬送される用紙Ｐ上の上記磁気インク文字を含む全ての文字を光学的に読取り、読取データとして、文字の形状に対応する画像パターンを出力する。
【００１１】
制御回路を図２に示す。  
１０は制御部であるＣＰＵで、このＣＰＵ１０に、磁気ヘッド３、光学ヘッド４、用紙搬送機構１１、用紙検出部１２、ＲＯＭ１３、ＲＡＭ１４、表示部１５、操作部１６、磁気データテーブル１７、画像データテーブル１８、誤読可能性文字テーブル１９を接続する。
【００１２】
用紙搬送機構１１は、上記用紙搬送路１および各搬送ローラ２を含むとともに、その各搬送ローラ２の駆動モータおよび駆動回路を含む。用紙検出部１２は、上記各用紙センサ５を含み、その各用紙センサ５の出力に基づいて用紙搬送路１上の用紙Ｐの位置を検出する。ＲＯＭ１３は、当該文字読取装置の制御プログラムや制御用データを記憶している。ＲＡＭ１４は、処理中の各種データを記憶する。表示部１５は、当該文字読取装置の動作や制御に関わる種々のデータを表示する。操作部１６は、当該文字読取装置の動作に関わる操作釦や操作スイッチを有する。
【００１３】
磁気データテーブル１７には、多数の磁気インク文字の磁気波形パターンが文字認識用の登録磁気波形パターンとして登録されている。画像データテーブル１８には、多数の文字の画像パターンが文字認識用の登録画像パターンとして登録されている。
【００１４】
誤読可能性文字テーブル１９には、誤読可能性文字として、互いに類似の登録磁気波形パターンを持つ複数の特定文字たとえば文字“２”と文字“５”が登録されている。
【００１５】
そして、ＣＰＵ１０は、主要な制御手段として、次の（１）〜（６）の手段を有する。  
（１）用紙検出部１２による用紙Ｐの検出位置に応じて用紙搬送機構１１の動作を制御する搬送制御手段。
【００１６】
（２）磁気ヘッド３の読取磁気波形パターンと磁気データテーブル１７内の各登録磁気波形パターンとを照合し、その読取磁気波形パターンと各登録磁気波形パターンとの類似度Ｘをそれぞれ求め、求めた類似度Ｘが基準値Ｘｓ以上となる登録磁気波形パターンの文字を磁気ヘッド３の読取文字として認識する第１認識手段。
【００１７】
（３）この第１認識手段で認識した読取文字が誤読可能性文字テーブル１９内の２つの誤読可能性文字“２”“５”と同じ２つの文字“２”“５”でない場合、その読取文字のうち、類似度Ｘが最も高い読取文字を当該文字読取装置の読取結果として確定する確定手段。
【００１８】
（４）上記第１認識手段で認識した読取文字が誤読可能性文字テーブル１９内の２つの誤読可能性文字“２”“５”と同じ２つの文字“２”“５”である場合、光学ヘッド４の読取画像パターンと画像データテーブル１８内の各登録画像パターンとを照合し、その読取画像パターンと各登録画像パターンとの類似度Ｙ求め、求めた類似度Ｙが基準値Ｙｓ以上でしかも最も高い登録磁気波形パターンの文字を光学ヘッド４の読取文字として認識する第２認識手段。
【００１９】
（５）この第２認識手段で認識した光学ヘッド４の読取文字が上記第１認識手段で認識した磁気ヘッド３の読取文字“２”“５”のどちらかと一致する場合、一致した読取文字を当該文字読取装置の読取結果として確定する確定手段。
【００２０】
（６）上記第２認識手段で認識した光学ヘッド４の読取文字が上記第１認識手段で認識した磁気ヘッド３の読取文字“２”“５”と一致しない場合、第２認識手段で認識した光学ヘッド４の読取文字を当該文字読取装置の読取結果として確定する確定手段。
【００２１】
つぎに、図３のフローチャートを参照しながら動作について説明する。  
用紙Ｐが用紙搬送路１に挿入されると、その用紙Ｐの先端を検出し（ステップ１０１のＹＥＳ）、用紙Ｐの搬送を開始する（ステップ１０２）。この搬送に伴い、用紙Ｐ上の磁気インク文字を磁気ヘッド３により読取り（ステップ１０３）、用紙Ｐ上の全ての文字を光学ヘッド４により読取る（ステップ１０４）。そして、磁気ヘッド３の読取磁気波形パターンと磁気データテーブル１７内の各登録磁気波形パターンとの類似度Ｘをそれぞれ求め、求めた類似度Ｘが基準値Ｘｓ以上となる登録磁気波形パターンの文字を磁気ヘッド３の読取文字として認識する（ステップ１０５）。
【００２２】
認識した磁気ヘッド３の読取文字と誤読可能性文字テーブル１９内の２つの誤読可能性文字“２”“５”とを照合し（ステップ１０６）、磁気ヘッド３の読取文字が２つの誤読可能性文字“２”“５”と同じ２つの文字“２”“５”でない場合（ステップ１０７のＮＯ）、磁気ヘッド３の読取文字のうち、類似度Ｘが最も高い読取文字を当該文字読取装置の読取結果として確定する（ステップ１０８）。
【００２３】
この確定時、用紙Ｐがまだ用紙搬送路１上にあれば（ステップ１０９のＮＯ）、用紙Ｐの搬送を続ける。用紙Ｐが排出されて用紙搬送路１上になければ（ステップ１０９のＹＥＳ）、用紙Ｐの搬送を終了する（ステップ１１０）。
【００２４】
一方、磁気ヘッド３の読取文字が誤読可能性文字“２”“５”と同じ２つの文字“２”“５”である場合は（ステップ１０７のＹＥＳ）、光学ヘッド４の読取画像パターンと画像データテーブル１８内の各登録画像パターンとの類似度Ｙを求め、求めた類似度Ｙが基準値Ｙｓ以上でしかも最も高い登録磁気波形パターンの文字を光学ヘッド４の読取文字として認識する（ステップ１１１）。
【００２５】
認識した光学ヘッド４の読取文字が上記認識した磁気ヘッド３の読取文字“２”“５”のどちらかと一致する場合（ステップ１１２のＹＥＳ）、一致した読取文字を当該文字読取装置の読取結果として確定する（ステップ１１３）。
【００２６】
光学ヘッド４の読取文字が磁気ヘッド３の読取文字“２”“５”のどちらとも一致しない場合は（ステップ１１２のＮＯ）、光学ヘッド４の読取文字を当該文字読取装置の読取結果として確定する（ステップ１１４）。
【００２７】
例えば、図４に示すように磁気インク文字“２”を有する用紙Ｐが磁気ヘッド３および光学ヘッド４に送られて読取られた場合、あるいは図５に示すように磁気インク文字“５”を有する用紙Ｐが磁気ヘッド３および光学ヘッド４に送られて読取られた場合、磁気ヘッド３の読取磁気波形パターンは図６のように文字“２”の登録磁気波形パターンおよび文字“５”の登録磁気波形パターンの両方に似た状態となる。もともと、文字“２”の登録磁気波形パターンと文字“５”の登録磁気波形パターンは互いに類似しており、その近傍に、磁気ヘッド３の読取磁気波形パターンが存する状態となる。
【００２８】
この場合、磁気ヘッド３の読取磁気波形パターンと文字“２”の登録磁気波形パターンとの類似度、および磁気ヘッド３の読取磁気波形パターンと文字“５”の登録磁気波形パターンとの類似度を相互に比較し、単純に類似度がわずかでも高い方の文字を認識結果とするだけでは、文字を適正に認識できない可能性がある。
【００２９】
そこで、上記のように、磁気ヘッド３の読取文字が２つの誤読可能性文字“２”“５”と同じ２つの文字“２”“５”でない場合は、誤読の可能性がないとの判断の下に、磁気ヘッド３の読取文字を当該文字読取装置の読取結果として確定する。確定に至るまでの認識処理は磁気ヘッド３の読取データに対する認識処理だけであり、光学ヘッド４の読取データに対する認識処理が不要となる分、処理時間の短縮が図れる。
【００３０】
また、磁気ヘッド３の読取文字が２つの誤読可能性文字“２”“５”と同じ２つの文字“２”“５”である場合は、新たに光学ヘッド４の読取文字を認識し、その読取文字を当該文字読取装置の読取結果として確定することにより、光学ヘッド４の読取データに対する認識処理の分だけ処理時間は増えても、誤読は防ぐことができる。
【００３１】
［２］第２の実施形態  
誤読可能性文字テーブル１９には、誤読可能性文字として、互いに類似の登録磁気波形パターンを持つ複数の特定文字たとえば文字“２”と文字“５”が登録されるとともに、その文字“２”に対応付けて誤読可能性判定用の類似度Ｘａが登録され、文字“５”に対応付けて誤読可能性判定用の類似度Ｘｂが登録されている。
【００３２】
ＣＰＵ１０は、主要な制御手段として、次の（１１）〜（１８）の手段を有する。  
（１１）用紙検出部１２による用紙Ｐの検出位置に応じて用紙搬送機構１１の動作を制御する搬送制御手段。
【００３３】
（１２）磁気ヘッド３の読取磁気波形パターンと磁気データテーブル１７内の各登録磁気波形パターンとを照合し、その読取磁気波形パターンと各登録磁気波形パターンとの類似度Ｘをそれぞれ求め、求めた類似度Ｘが基準値Ｘｓ以上となる登録磁気波形パターンの文字を磁気ヘッド３の読取文字として認識する第１認識手段。
【００３４】
（１３）この第１認識手段で認識した読取文字が誤読可能性文字テーブル１９内の２つの誤読可能性文字“２”“５”と同じ２つの文字“２”“５”でない場合、その読取文字のうち、類似度Ｘが最も高い読取文字を当該文字読取装置の読取結果として確定する確定手段。
【００３５】
（１４）上記第１認識手段で認識した読取文字が誤読可能性文字テーブル１９内の２つの誤読可能性文字“２”“５”と同じ２つの文字“２”“５”である場合、その読取文字“２”の認識に際しての読取磁気波形パターンの登録磁気波形パターンに対する類似度Ｘが誤読可能性文字“２”に対応付けられている類似度Ｘａ以上（Ｘ≧Ｘａ）、かつ読取文字“５”の認識に際しての読取磁気波形パターンの登録磁気波形パターンに対する類似度Ｘが誤読可能性文字“５”に対応付けられている類似度Ｘｂ以上（Ｘ≧Ｘｂ）であるか否かを判定する誤読可能性判定手段。
【００３６】
（１５）この誤読可能性判定手段の判定結果が否定の場合（Ｘ≧Ｘａの条件およびＸ≧Ｘｂの条件が共に満たされない場合）、誤読可能性が低いとの判断の下に、読取文字“２”の類似度Ｘと読取文字“５”の類似度Ｘとを比較し、類似度Ｘが高い方の読取文字を当該文字読取装置の読取結果として確定する確定手段。
【００３７】
（１６）上記判定手段の判定結果が肯定の場合（Ｘ≧Ｘａの条件およびＸ≧Ｘｂの条件が共に満たされる場合）、誤読可能性が高いとの判断の下に、光学ヘッド４の読取画像パターンと画像データテーブル１８内の各登録画像パターンとを照合し、その読取画像パターンと各登録画像パターンとの類似度Ｙを求め、求めた類似度Ｙが基準値Ｙｓ以上でしかも最も高い登録磁気波形パターンの文字を光学ヘッド４の読取文字として認識する第２認識手段。
【００３８】
（１７）この第２認識手段で認識した光学ヘッド４の読取文字が上記第１認識手段で認識した磁気ヘッド３の読取文字“２”“５”のどちらかと一致する場合、一致した読取文字を当該文字読取装置の読取結果として確定する確定手段。
【００３９】
（１８）上記第２認識手段で認識した光学ヘッド４の読取文字が上記第１認識手段で認識した磁気ヘッド３の読取文字“２”“５”と一致しない場合、第２認識手段の認識に際しての読取画像パターンの登録画像パターンに対する類似度Ｙが閾値Ｙｒ（＞Ｙｓ）以上であることを条件に、光学ヘッド４の読取文字を当該文字読取装置の読取結果として確定し、類似度Ｙが閾値Ｙｒ未満であれば当該文字読取装置の読取不可を確定する確定手段。  
他の構成は第１の実施形態と同じである。よって、その説明は省略する。
【００４０】
つぎに、図７のフローチャートを参照しながら動作を説明する。図７のフローチャートは、ステップ１０１〜１１０の処理は図３のフローチャートと同じで、ステップ１１１〜１１４に処理に代えてステップ２０１〜２０９の処理を有する点が図３のフローチャートと異なる。
【００４１】
すなわち、磁気ヘッド３の読取文字が誤読可能性文字“２”“５”と同じ２つの文字“２”“５”である場合（ステップ１０７のＹＥＳ）、その読取文字“２”の認識に際しての類似度Ｘが誤読可能性文字“２”に対応付けられている類似度Ｘａ以上（Ｘ≧Ｘａ）、かつ読取文字“５”の認識に際しての類似度Ｘが誤読可能性文字“５”に対応付けられている類似度Ｘｂ以上（Ｘ≧Ｘｂ）であるか否かを判定する（ステップ２０１）。
【００４２】
この判定結果が否定の場合（Ｘ≧Ｘａの条件およびＸ≧Ｘｂの条件が共に満たされない場合）、誤読可能性が低いとの判断の下に（ステップ２０２のＹＥＳ）、読取文字“２”の類似度Ｘと読取文字“５”の類似度Ｘとを比較し、類似度Ｘが高い方の読取文字を当該文字読取装置の読取結果として確定する（ステップ２０３）。
【００４３】
上記判定手段の判定結果が肯定の場合（Ｘ≧Ｘａの条件およびＸ≧Ｘｂの条件が共に満たされる場合）、誤読可能性が高いとの判断の下に（ステップ２０２のＮＯ）、光学ヘッド４の読取画像パターンと画像データテーブル１８内の各登録画像パターンとの類似度Ｙを求め、求めた類似度Ｙが基準値Ｙｓ以上でしかも最も高い登録磁気波形パターンの文字を光学ヘッド４の読取文字として認識する（ステップ２０４）。
【００４４】
認識した光学ヘッド４の読取文字が上記認識した磁気ヘッド３の読取文字“２”“５”のどちらかと一致する場合（ステップ２０５のＹＥＳ）、一致した読取文字を当該文字読取装置の読取結果として確定する（ステップ２０６）。
【００４５】
光学ヘッド４の読取文字が磁気ヘッド３の読取文字“２”“５”のどちらとも一致しない場合は（ステップ２０５のＮＯ）、光学ヘッド４の読取文字の認識に際しての類似度Ｙが閾値Ｙｒ（＞Ｙｓ）以上であることを条件に（ステップ２０７のＹＥＳ）、認識した光学ヘッド４の読取文字を当該文字読取装置の読取結果として確定する（ステップ２０８）。
【００４６】
類似度Ｙが閾値Ｙｒ未満であれば（ステップ２０７のＮＯ）、当該文字読取装置の読取不可を確定する（ステップ２０９）。
【００４７】
このように、磁気ヘッド３の読取文字が２つの誤読可能性文字“２”“５”と同じ２つの文字“２”“５”でない場合は、誤読の可能性がないとの判断の下に、磁気ヘッド３の読取文字を当該文字読取装置の読取結果として確定することにより、その確定に至るまでの認識処理は磁気ヘッド３の読取データに対する認識処理だけとなり、光学ヘッド４の読取データに対する認識処理が不要となる分、処理時間の短縮が図れる。
【００４８】
また、磁気ヘッド３の読取文字が２つの誤読可能性文字“２”“５”と同じ２つの文字“２”“５”である場合は、その読取文字“２”“５”の誤読可能性をそれぞれの類似度Ｘから判定し、誤読可能性が高ければ新たに光学ヘッド４の読取文字を認識し、その読取文字と磁気ヘッド３の読取文字とが一致することを条件にその一致した読取文字を当該文字読取装置の読取結果として確定するので、光学ヘッド４の読取データに対する認識処理がお墨付きとして加わり、よって、処理時間は増えても誤読は防ぐことができる。
【００４９】
光学ヘッド４の読取文字と磁気ヘッド３の読取文字とが一致しない場合は、光学ヘッド４の読取文字の認識に際しての類似度Ｙが閾値以上であることを条件に、つまり光学ヘッド４の読取文字を認識する処理の信頼性が十分に高いことを条件に、光学ヘッド４の読取文字を当該文字読取装置の読取結果として確定するので、上記同様、処理時間は増えても誤読は防ぐことができる。
【００５０】
類似度Ｙが閾値未満であれば、光学ヘッド４の読取文字を認識する処理の信頼性が十分ではないとの判断の下に、当該文字読取装置の読取不可を確定する。これにより、読取結果の信頼性をより高めることができる。
【００５１】
［３］変形例  
なお、上記実施形態では、誤読可能性文字として２つの文字“２”“５”を例に説明したが、その種類および個数について限定はない。
【００５２】
その他、上記実施形態は、例として提示したものであり、発明の範囲を限定することは意図していない。これら新規な実施形態は、その他の様々な形態で実施されることが可能であり、発明の要旨を逸脱しない範囲で、種々の省略、書き換え、変更を行うことができる。この実施形態や変形は、発明の範囲は要旨に含まれるとともに、特許請求の範囲に記録された発明とその均等の範囲に含まれる。
【図１】
2012058775.tif 000003
【図２】
2012058775.tif 000004
【図３】
2012058775.tif 000005
【図４】
2012058775.tif 000006
【図５】
2012058775.tif 000007
【図６】
2012058775.tif 000008
【図７】
2012058775.tif 000009